【手続補正書】
【提出日】平成20年5月8日(2008.5.8)
【手続補正１】
【補正対象書類名】特許請求の範囲
【補正対象項目名】全文
【補正方法】変更
【補正の内容】
【特許請求の範囲】
【請求項１】
（ｉ）異なる色の着色剤溶液または分散物をマイクロカップに異なる所定の領域にて充填するものであって、該着色剤溶液または分散物の各々がキャリア溶媒に溶解または分散した着色剤を含む工程、
（ｉｉ）該着色剤溶液または分散物における該キャリア溶媒を除去する工程、および
（ｉｉｉ）該着色剤が可溶または分散可能である誘電性溶媒または溶媒混合物中に分散した帯電色素粒子を含む電気泳動流体を、該着色剤を含有している該マイクロカップに充填する工程
を含む、電気泳動ディスプレイの製造方法。
【請求項２】
前記工程（ｉ）をインクジェット印刷により実施する、請求項１に記載の方法。
【請求項３】
前記インクジェット印刷を複数のノズルを含むプリンタヘッドを用いて実施する、請求項２に記載の方法。
【請求項４】
前記着色剤溶液または分散物がマイクロカップへと同時または順次にインクジェット印刷される、請求項２に記載の方法。
【請求項５】
前記工程（ｉ）が、ポジ型フォトレジストをマイクロカップ上にラミネートまたはコーティングすること、マイクロカップを異なる所定の領域にて選択的に開口させること、および開口させたマイクロカップに異なる色の着色剤溶液または分散物を充填することにより実施される、請求項１に記載の方法。
【請求項６】
前記工程（ｉ）が、フィラー材料をマイクロカップに充填すること、充填したマイクロカップを異なる所定の領域にて選択的に開口させること、開口させたマイクロカップからフィラー材料を除去すること、および開口させたマイクロカップに異なる色の着色剤溶液または分散物を充填することにより実施される、請求項１に記載の方法。
【請求項７】
前記着色剤が染料または色素である、請求項１に記載の方法。
【請求項８】
前記着色剤溶液または分散物が界面活性剤、分散剤または粘度調整剤を更に含む、請求項１に記載の方法。
【請求項９】
前記界面活性剤または分散剤が、熱、放射線またはそれらの組合せによって除去可能な一時的な界面活性剤または分散剤である、請求項８に記載の方法。
【請求項１０】
前記キャリア溶媒が誘電性溶媒または溶媒混合物である、請求項１に記載の方法。
【請求項１１】
前記キャリア溶媒が一般的溶媒または溶媒混合物である、請求項１に記載の方法。
【請求項１２】
前記一般的溶媒または溶媒混合物が炭化水素、アルキルケトン、アルキルエステル、アルコール、エーテル、水およびそれらの混合物からなる群より選択される、請求項１１に記載の方法。
【請求項１３】
前記電気泳動流体が、無色透明な誘電性溶媒または溶媒混合物中に分散した同じ色の帯電色素粒子を含む、請求項１に記載の方法。
【請求項１４】
充填したマイクロカップを、電気泳動流体の比重以下の比重を有する封止組成物で上面封止することを更に含む、請求項１に記載の方法。
【請求項１５】
前記工程（ｉ）の充填をセクションにて実施し、および該セクションの各々が二色系を有する、請求項１に記載の方法。
【請求項１６】
前記キャリア溶媒が前記工程（ｉｉ）にて乾燥除去される、請求項１に記載の方法。
【請求項１７】
異なる電気泳動特性を有する電気泳動流体が充填されたマイクロカップを含む電気泳動ディスプレイの製造方法であって、
（ｉ）電気泳動特性の異なる添加剤溶液または分散物をマイクロカップに異なる所定の領域にて充填するものであって、該添加剤溶液または分散物の各々がキャリア溶媒に溶解または分散した添加剤を含む工程、
（ｉｉ）該添加剤溶液または分散物における該キャリア溶媒を除去する工程、および
（ｉｉｉ）該添加剤が可溶または分散可能である誘電性溶媒または溶媒混合物中に分散した帯電色素粒子を含む電気泳動流体を、該添加剤を含有しているマイクロカップに充填する工程
を含む製造方法。
【請求項１８】
前記工程（ｉ）をインクジェット印刷により実施する、請求項１７に記載の方法。
【請求項１９】
前記添加剤が界面活性剤、保護コロイド、ポリマー、粘度調整剤、帯電制御剤、安定剤、酸化防止剤、蛍光物質、フィラーまたはフィラー粒子である、請求項１７に記載の方法。
【請求項２０】
前記キャリア溶媒が誘電性溶媒または溶媒混合物である、請求項１７に記載の方法。
【請求項２１】
前記キャリア溶媒が一般的溶媒または溶媒混合物である、請求項１７に記載の方法。
【請求項２２】
前記一般的溶媒または溶媒混合物が炭化水素、アルキルケトン、アルキルエステル、アルコール、エーテル、水およびそれらの混合物からなる群より選択される、請求項２０に記載の方法。
【請求項２３】
前記電気泳動流体が、着色された誘電性溶媒または溶媒混合物中に分散した帯電色素粒子を含む、請求項１７に記載の方法。
【請求項２４】
充填したマイクロカップを、電気泳動流体の比重以下の比重を有する封止組成物で上面封止することを更に含む、請求項１７に記載の方法。
【請求項２５】
前記キャリア溶媒が前記工程（ｉｉ）にて乾燥除去される、請求項１７に記載の方法。
【手続補正２】
【補正対象書類名】明細書
【補正対象項目名】０００３
【補正方法】変更
【補正の内容】
【０００３】
いくつかの異なるタイプのＥＰＤが存在する。仕切型ＥＰＤ（Ｍ．  Ａ．  ＨｏｐｐｅｒおよびＶ．  Ｎｏｖｏｔｎｙ、アイ・イー・イー・イー・トランス・エレクトロン・デバイシィーズ（IEEE Trans. Electr. Dev.）、２６巻、第８号、第１１４８〜１１５２頁（１９７９年）を参照のこと）では、粒子の望ましくない運動、例えば沈降を防止するために、空間をより小さなセルに分割するように２つの電極プレート間に仕切（またはパーティション）が設けられる。マイクロカプセル型ＥＰＤ（米国特許第５，９６１，８０４号および同第５，９３０，０２６号に記載されるようなもの）は、誘電性溶媒およびこれと視覚的に対照をなす帯電色素粒子の懸濁物の電気泳動組成物をそれぞれが有するマイクロカプセルの実質的に２次元的なアレンジメント（または配置）を有する。別のタイプのＥＰＤ（米国特許第３，６１２，７５８号を参照のこと）は、平行なライン状のリザーバから形成される電気泳動セルを有する。このチャンネル状電気泳動セルは透明導体で覆われ、これと電気的に接触している。パネルの表示側となる透明ガラス層が透明導体に重ねられる。
【手続補正３】
【補正対象書類名】明細書
【補正対象項目名】００１０
【補正方法】変更
【補正の内容】
【００１０】
発明の要旨
本発明の第１の要旨は、色の異なる着色剤溶液または分散物と帯電色素粒子とを別々の工程で添加することを含むマルチカラー電気泳動ディスプレイの製造方法に関する。より詳細には、このプロセスは、着色剤溶液または分散物を所定の（または予め決められた）領域にあるマイクロカップに、例えばインクジェット印刷により、パターン的（pattern-wise）に充填する第１工程を含む。第２工程は、誘電性溶媒または溶媒混合物中に分散した帯電色素（例えばＴｉＯ２または他の白色もしくは色付きの色素）粒子を含む電気泳動流体を、予め着色剤を充填したマイクロカップにパターン的または非パターン的に添加するものである。
【手続補正４】
【補正対象書類名】明細書
【補正対象項目名】００１３
【補正方法】変更
【補正の内容】
【００１３】
本発明の第２の要旨は、電気泳動特性（例えばスイッチング速度、閾電圧、ガンマおよび／または消去（clearing）電圧など）の異なる電気泳動流体が充填されたマイクロカップを含む電気泳動ディスプレイの製造方法に関する。このプロセスは、様々な特性を付与する添加剤溶液または分散物をマイクロカップに、例えばインクジェット印刷により、パターン的に充填する工程と、その後、誘電性溶媒または溶媒混合物中に分散した帯電色素（例えばＴｉＯ２または他の白色もしくは色付きの色素）粒子を含む電気泳動流体を、予め添加剤溶液または分散物を充填したマイクロカップにパターン的または非パターン的に添加する工程とを含む。このようにして充填したマイクロカップを、その後、本願明細書および関連出願に記載されるような封止プロセスのいずれかにより上面封止する。
【手続補正５】
【補正対象書類名】明細書
【補正対象項目名】００１９
【補正方法】変更
【補正の内容】
【００１９】
Ｉ．マイクロカップの作製
マイクカップに基づく電気泳動ディスプレイの概略図を図１に示す。このディスプレイは、少なくとも一方（１０）が透明である２つの電極プレート（１０、１１）と、この２つの電極プレート間に収められたマイクロカップの層（１２）とを含む。このマイクロカップは、誘電性溶媒または溶媒混合物中に分散した帯電色素粒子が充填されて、ポリマー封止層（１３）で封止されている。２つの電極プレート間に電圧差が付与されると、帯電色素粒子は一方側または他方側に移動し、これにより、帯電色素粒子の色あるいは誘電性溶媒または溶媒混合物の色のいずれかが透明電極プレートを通して見られる。２つの電極プレートの一方がパターン状であり得る。
【手続補正６】
【補正対象書類名】明細書
【補正対象項目名】００３１
【補正方法】変更
【補正の内容】
【００３１】
熱可塑性エラストマーも封止材料として使用できる。好都合な熱可塑性エラストマーの例には、式ＡＢＡまたは（ＡＢ）ｎ（式中、Ａはスチレン、α−メチルスチレン、エチレン、プロピレンまたはノルボルネンであり；Ｂはブタジエン、イソプレン、エチレン、プロピレン、ブチレン、ジメチルシロキサンまたはプロピレンスルフィドであり；ならびに、ＡおよびＢは式中で同じではない）で表わされるジブロック、トリブロックまたはマルチブロックコポリマーが含まれ得る。数字ｎは≧１であり、好ましくは１〜１０である。代表的なコポリマーにはポリ（スチレン−ｂ−ブタジエン）、ポリ（スチレン−ｂ−ブタジエン−ｂ−スチレン）、ポリ（スチレン−ｂ−イソプレン−ｂ−スチレン）、ポリ（スチレン−ｂ−エチレン／ブチレン−ｂ−スチレン）、ポリ（スチレン−ｂ−ジメチルシロキサン−ｂ−スチレン）、ポリ（α−メチルスチレン−ｂ−イソプレン）、ポリ（α−メチルスチレン−ｂ−イソプレン−ｂ−α−メチルスチレン）、ポリ（α−メチルスチレン−ｂ−プロピレンスルフィド−ｂ−α−メチルスチレン）、およびポリ（α−メチルスチレン−ｂ−ジメチルシロキサン−ｂ−α−メチルスチレン）が含まれ得る。添加剤（例えばシリカ粒子および界面活性剤など）を使用して膜一体性およびコーティングの質を向上させるようにしてよい。
【手続補正７】
【補正対象書類名】明細書
【補正対象項目名】００３６
【補正方法】変更
【補正の内容】
【００３６】
図２ａに示すように、着色剤溶液または分散物（２１）を異なる（または別々の）領域にあるマイクロカップ（２０）に充填する。この領域は予め決められている。例えば、ある領域では、マイクロカップにある色の着色剤溶液または分散物を充填し得、別の領域では、マイクロカップに別の色の着色剤溶液または分散物を充填し得る。
【手続補正８】
【補正対象書類名】明細書
【補正対象項目名】００６４
【補正方法】変更
【補正の内容】
【００６４】
別の態様では、キャリア溶媒は一般的溶媒または溶媒混合物、特に一般的有機溶媒または溶媒混合物であってよい。適切な一般的有機溶媒または溶媒混合物には、炭化水素、アルキルケトン、アルキルエステル、アルコール、エーテル、水およびそれらの混合物が含まれ得るが、これらに限定されるものではない。一般的有機溶媒を用いる場合、添加剤は、後ほど充填する電気泳動流体における誘電性溶媒または溶媒混合物に可溶または分散可能であることがやはり好ましい。
【手続補正９】
【補正対象書類名】明細書
【補正対象項目名】００８０
【補正方法】変更
【補正の内容】
【００８０】
本発明をその特定の態様を参照しつつ説明して来たが、本発明の真の概念および範囲を逸脱することなく種々の変更が成され得、また均等物で置換され得ることが当業者に理解されるべきである。加えて、特定の状況、材料、組成物、プロセス、処理工程（１つまたはそれ以上）に適用するため、本発明の目的、概念および範囲に対して多くの改変がなされ得る。そのような全ての改変は添付の特許請求の範囲に属することを意図するものである。
本発明は以下の態様を含むものである。
（態様１）
（ｉ）着色剤溶液または分散物をマイクロカップにパターン的に充填する工程、および
（ｉｉ）誘電性溶媒または溶媒混合物中に分散した帯電色素粒子を含む電気泳動流体をマイクロカップにパターン的または非パターン的に充填する工程
を含む、電気泳動ディスプレイの製造方法。
（態様２）
工程（ｉ）を工程（ｉｉ）の前に実施する、態様１に記載の方法。
（態様３）
着色剤溶液または分散物のパターン的充填を印刷法により実施する、態様２に記載の方法。
（態様４）
前記印刷法がインクジェット印刷である、態様３に記載の方法。
（態様５）
着色剤溶液または分散物のパターン的充填が、ポジ型フォトレジストをマイクロカップ上にラミネートまたはコーティングすること、マイクロカップを所定の領域にて選択的に開口させること、および開口させたマイクロカップに所定の色の着色剤溶液または分散物を充填することを含む、態様２に記載の方法。
（態様６）
着色剤溶液または分散物のパターン的充填が、フィラー材料をマイクロカップに充填すること、充填したマイクロカップを所定の領域にて選択的に開口させること、開口させたマイクロカップからフィラー材料を除去すること、および開口させたマイクロカップに所定の色の着色剤溶液または分散物を充填することを含む、態様２に記載の方法。
（態様７）
前記着色剤溶液または分散物が、キャリア溶媒中に溶解または分散した染料または色素を含んで成る、態様２に記載の方法。
（態様８）
前記キャリア溶媒が誘電性溶媒または溶媒混合物である、態様７に記載の方法。
（態様９）
前記キャリア溶媒が一般的有機溶媒または溶媒混合物である、態様７に記載の方法。
（態様１０）
前記一般的有機溶媒または溶媒混合物が炭化水素、アルキルケトン、アルキルエステル、アルコール、エーテル、水およびそれらの混合物からなる群より選択される、態様９に記載の方法。
（態様１１）
工程（ｉｉ）の前に、着色剤溶液または分散物におけるキャリア溶媒を除去する工程を更に含む、態様７に記載の方法。
（態様１２）
前記着色剤溶液または分散物が異なる色を有する、態様２に記載の方法。
（態様１３）
前記着色剤溶液または分散物が同じ色を有するが、異なる光学密度または濃度を有する、態様２に記載の方法。
（態様１４）
前記帯電色素粒子が同じ色を有し、無色透明な誘電性溶媒または溶媒混合物中に分散している、態様２に記載の方法。
（態様１５）
充填したマイクロカップを、電気泳動流体の比重以下の比重を有する封止組成物で上面封止することを更に含む、態様２に記載の方法。
（態様１６）
異なる電気泳動特性を有する電気泳動流体が充填されたマイクロカップを含む電気泳動ディスプレイの製造方法であって、
（ｉ）電気泳動特性の異なる添加剤溶液または分散物をマイクロカップにパターン的に充填する工程、および
（ｉｉ）誘電性溶媒または溶媒混合物中に分散した帯電色素粒子を含む電気泳動流体をマイクロカップにパターン的または非パターン的に充填する工程
を含む製造方法。
（態様１７）
工程（ｉ）を工程（ｉｉ）の前に実施する、態様１６に記載の方法。
（態様１８）
添加剤溶液または分散物のパターン的充填を印刷法により実施する、態様１７に記載の方法。
（態様１９）
前記印刷法がインクジェット印刷である、態様１８に記載の方法。
（態様２０）
添加剤溶液または分散物のパターン的充填が、ポジ型フォトレジストをマイクロカップ上にラミネートまたはコーティングすること、マイクロカップを所定の領域にて選択的に開口させること、および開口させたマイクロカップに所定の電気泳動特性の添加剤溶液または分散物を充填することを含む、態様１７に記載の方法。
（態様２１）
添加剤溶液または分散物のパターン的充填が、フィラー材料をマイクロカップに充填すること、充填したマイクロカップを所定の領域にて選択的に開口させること、開口させたマイクロカップからフィラー材料を除去すること、および開口させたマイクロカップに所定の電気泳動特性の添加剤溶液または分散物を充填することを含む、態様１７に記載の方法。
（態様２２）
前記添加剤溶液または分散物が、キャリア溶媒中に溶解または分散した添加剤を含んで成る、態様１７に記載の方法。
（態様２３）
前記添加剤が界面活性剤、保護コロイド、ポリマー、粘度調整剤、帯電制御剤、安定剤、酸化防止剤、蛍光物質、フィラーまたはフィラー粒子である、態様２２に記載の方法。
（態様２４）
前記キャリア溶媒が誘電性溶媒または溶媒混合物である、態様２２に記載の方法。
（態様２５）
前記キャリア溶媒が一般的有機溶媒または溶媒混合物である、態様２２に記載の方法。
（態様２６）
前記一般的有機溶媒または溶媒混合物が炭化水素、アルキルケトン、アルキルエステル、アルコール、エーテル、水およびそれらの混合物からなる群より選択される、態様２５に記載の方法。
（態様２７）
工程（ｉｉ）の前に、添加剤溶液または分散物におけるキャリア溶媒を除去する工程を更に含む、態様２２に記載の方法。
（態様２８）
前記帯電色素粒子が、着色された誘電性溶媒または溶媒混合物中に分散している、態様１７に記載の方法。
（態様２９）
充填したマイクロカップを、電気泳動流体の比重以下の比重を有する封止組成物で上面封止することを更に含む、態様１７に記載の方法。
（態様３０）
前記充填をセクションにて（in sections）実施し、および該セクションの各々が二色系を有する、態様２に記載の方法。
（態様３１）
前記充填工程をインクジェット印刷により実施する、態様３０に記載の方法。